(57)【特許請求の範囲】
【請求項１】
カスタマイズされた呼び出し音（ＣＲＴ）を基にした発呼者情報提示のためのサーバの作動方法であって、
発呼者の指示子を伝達する発呼要求を発呼者から受信し、前記発呼要求を着呼者に転送し、着呼者の指示子を伝達する発呼要求応答メッセージを前記着呼者から受信するステップと、
前記発呼者の指示子に従って、特定の発呼者情報を前記着呼者に提示するか否かを判断するステップと、
前記発呼者の指示子に従って、特定の発呼者情報を前記着呼者に提示すると判断したとき、前記発呼者が発呼者情報を提示するＣＲＴサービスに加入しているか否かをさらに判断し、前記発呼者が前記発呼者情報を提示するＣＲＴサービスに加入しているならば、前記発呼者が特定の発呼者情報を設定しているか否かをさらに判断し、前記発呼者が特定の発呼者情報を設定しているならば、前記特定の発呼者情報を伝達するＣＲＴ音を前記着呼者に送信し、
前記発呼者が前記発呼者情報を提示するＣＲＴサービスに加入していないならば、前記着呼者が前記発呼者情報を提示するＣＲＴサービスに加入しているか否かをさらに判断し、前記着呼者が前記発呼者情報を提示するＣＲＴサービスに加入しているならば、一般的な発呼者情報を伝達するＣＲＴ音を前記着呼者に送信し、前記着呼者が前記発呼者情報を提示するＣＲＴサービスに加入していないならば、発呼者情報を伝達しないＣＲＴ音を前記着呼者に送信するステップと、
を有し、
前記発呼者の指示子は、特定の発呼者情報を着呼者に提示すること、または、提示しないこと、および、発呼者の識別情報および発呼者の加入情報を提示することを指示し、
前記着呼者の指示子は、特定の着呼者情報を発呼者に提示すること、または、提示しないこと、および、着呼者の識別情報および着呼者の加入情報を提示することを指示する方法。
【請求項２】
前記着呼者の指示子に従って、発呼者情報を前記着呼者に提示する前に関係する着呼者情報を前記発呼者に提示するか否かを判断するステップをさらに有する請求項１に記載の方法。
【請求項３】
カスタマイズされた呼び出し音（ＣＲＴ）を基にした着呼者情報提示のためのサーバの作動方法であって、
発呼者の指示子を伝達する発呼要求を発呼者から受信し、前記発呼要求を着呼者に転送し、着呼者の指示子を伝達する発呼要求応答メッセージを前記着呼者から受信するステップと、
前記着呼者の指示子に従って、特定の着呼者情報を前記発呼者に提示するか否かを判断するステップと、
前記着呼者の指示子に従って、特定の着呼者情報を前記発呼者に提示すると判断したとき、前記着呼者が着呼者情報を提示するＣＲＴサービスに加入しているか否かをさらに判断し、前記着呼者が前記着呼者情報を提示するＣＲＴサービスに加入しているならば、前記着呼者が特定の着呼者情報を設定しているか否かをさらに判断し、前記着呼者が特定の着呼者情報を設定しているならば、前記特定の着呼者情報を伝達するＣＲＴ音を前記発呼者に送信し、
前記着呼者が前記着呼者情報を提示するＣＲＴサービスに加入していないならば、前記発呼者が前記着呼者情報を提示するＣＲＴサービスに加入しているか否かをさらに判断し、前記発呼者が前記着呼者情報を提示するＣＲＴサービスに加入しているならば、一般的な着呼者情報を伝達するＣＲＴ音を前記発呼者に送信し、前記発呼者が前記着呼者情報を提示するＣＲＴサービスに加入していないならば、着呼者情報を伝達しないＣＲＴ音を前記発呼者に送信するステップと、
を有し、
前記発呼者の指示子は、特定の発呼者情報を着呼者に提示すること、または、提示しないこと、および、発呼者の識別情報および発呼者の加入情報を提示することを指示し、
前記着呼者の指示子は、特定の着呼者情報を発呼者に提示すること、または、提示しないこと、および、着呼者の識別情報および着呼者の加入情報を提示することを指示する方法。
【請求項４】
前記発呼者は公衆交換電話網（ＰＳＴＮ）内に存在し、かつ、前記着呼者はセッションイニシエーションプロトコル（ＳＩＰ）ネットワーク内に存在する、または、前記発呼者はＳＩＰネットワーク内に存在し、かつ、前記着呼者はＰＳＴＮネットワーク内に存在する請求項３に記載の方法。
【請求項５】
カスタマイズされた呼び出し音（ＣＲＴ）を基にした発呼者情報提示のためのサーバであって、
発呼者の指示子を伝達する発呼要求を発呼者から受信し、前記発呼要求を着呼者に転送し、着呼者の指示子を伝達する発呼要求応答メッセージを前記着呼者から受信するように構成された受信モジュールと、
前記発呼者の指示子に従って、前記発呼者が特定の発呼者情報を前記着呼者に提示するか否かを判断するように構成された第１判断モジュールと、
前記第１判断モジュールが、前記発呼者が特定の発呼者情報を前記着呼者に提示すると判断したとき、前記発呼者が発呼者情報を提示するＣＲＴサービスに加入しているか否かを判断するように構成された第２判断モジュールと、
前記第２判断モジュールが、前記発呼者が前記発呼者情報を提示するＣＲＴサービスに加入していると判断したとき、前記発呼者が特定の発呼者情報を設定しているか否かを判断するように構成された第３判断モジュールと、
前記第３判断モジュールが、前記発呼者が特定の発呼者情報を設定していると判断したとき、前記特定の発呼者情報を伝達するＣＲＴ音を前記着呼者に送信するように構成された送信モジュールと、
を具備し、
前記第３判断モジュールは、さらに、前記第２判断モジュールが、前記発呼者が前記発呼者情報を提示するＣＲＴサービスに加入していないと判断したとき、前記着呼者が前記発呼者情報を提示するＣＲＴサービスに加入しているか否かを判断するように構成され、
前記送信モジュールは、さらに、前記第３判断モジュールが、前記着呼者が前記発呼者情報を提示するＣＲＴサービスに加入していると判断したとき、一般的な発呼者情報を伝達するＣＲＴ音を前記着呼者に送信し、前記第３判断モジュールが、前記着呼者が前記発呼者情報を提示するＣＲＴサービスに加入していないと判断したとき、発呼者情報を伝達しないＣＲＴ音を前記着呼者に送信するように構成され、
前記発呼者の指示子は、特定の発呼者情報を着呼者に提示すること、または、提示しないこと、および、発呼者の識別情報および発呼者の加入情報を提示することを指示し、
前記着呼者の指示子は、特定の着呼者情報を発呼者に提示すること、または、提示しないこと、および、着呼者の識別情報および着呼者の加入情報を提示することを指示するサーバ。
【請求項６】
カスタマイズされた呼び出し音（ＣＲＴ）を基にした着呼者情報提示のためのサーバであって、
発呼者の指示子を伝達する発呼要求を発呼者から受信し、前記発呼要求を着呼者に転送し、着呼者の指示子を伝達する発呼要求応答メッセージを前記着呼者から受信するように構成された受信モジュールと、
前記着呼者の指示子に従って、前記着呼者が特定の着呼者情報を前記発呼者に提示するか否かを判断するように構成された第１判断モジュールと、
前記第１判断モジュールが、前記着呼者が特定の着呼者情報を前記発呼者に提示すると判断したとき、前記着呼者が着呼者情報を提示するＣＲＴサービスに加入しているか否かを判断するように構成された第２判断モジュールと、
前記第２判断モジュールが、前記着呼者が前記着呼者情報を提示するＣＲＴサービスに加入していると判断したとき、前記着呼者が特定の着呼者情報を設定しているか否かを判断するように構成された第３判断モジュールと、
前記第３判断モジュールが、前記着呼者が特定の着呼者情報を設定していると判断したとき、前記特定の着呼者情報を伝達するＣＲＴ音を前記発呼者に送信するように構成された送信モジュールと、
を具備し、
前記第３判断モジュールは、さらに、前記第２判断モジュールが、前記着呼者が前記着呼者情報を提示するＣＲＴサービスに加入していないと判断したとき、前記発呼者が前記着呼者情報を提示するＣＲＴサービスに加入しているか否かを判断するように構成され、
前記送信モジュールは、さらに、前記第３判断モジュールが、前記発呼者が前記着呼者情報を提示するＣＲＴサービスに加入していると判断したとき、一般的な着呼者情報を伝達するＣＲＴ音を前記発呼者に送信し、前記第３判断モジュールが、前記発呼者が前記着呼者情報を提示するＣＲＴサービスに加入していないと判断したとき、着呼者情報を伝達しないＣＲＴ音を前記発呼者に送信するように構成され、
前記発呼者の指示子は、特定の発呼者情報を着呼者に提示すること、または、提示しないこと、および、発呼者の識別情報および発呼者の加入情報を提示することを指示し、
前記着呼者の指示子は、特定の着呼者情報を発呼者に提示すること、または、提示しないこと、および、着呼者の識別情報および着呼者の加入情報を提示することを指示するサーバ。
【発明の詳細な説明】
【技術分野】
【０００１】
本発明は、通信の分野に関し、特に、カスタマイズされた呼び出し音（Customized Ring Tone（ＣＲＴ））技術に関する。
【０００２】
本願は、発明の名称を“METHOD AND SERVER FOR PRESENTING CALLER/CALLEE INFORMATION IN CUSTOMIZED RING TONE SERVICE”とする２００８年１０月１０日に中国特許庁に出願された中国特許出願第200810216476.3号の優先権を主張し、その全体を引用してここに組み込む。
【背景技術】
【０００３】
発呼者または着呼者の名前を提示するために、移動端末のユーザによって名前識別子が設定される。ユーザが発呼者として提示することを望む名前識別子は、発呼者名前識別子である。ユーザが着呼者として提示することを望む名前識別子は、着呼者名前識別子である。名前識別子の最大の長さは８０文字（character）である。提示指示子（Presentation Indicator（ＰＩ））は、提示が制限されている、または、提示のための名前がない、を示すことが可能である。
【０００４】
機能（Facility）メッセージは、付加サービスを要求または通知する１つの種類のメッセージである。機能メッセージは、いくつかの情報要素を伝達して付加サービスを起動し、動作させる。これらの付加サービスを識別するために該当するオペレーションコードが使用され、識別された付加サービスにおいて、発呼者／着呼者ＩＤ、または、発呼者／着呼者ＩＤを提示するか否か、のようないくつかの情報要素が追加される。
【０００５】
ユーザ・ユーザ情報（ＵＵＩ）は、通信サービスにおける呼設定の間にシグナリングチャネル上でユーザ情報を伝送するサービスである。ＵＵＩの最大の長さは１２８文字である。発呼者は、呼設定メッセージ、エンド・エンド呼び出し（end-to-end Alerting）、または応答（Connect）メッセージにおいてこの機能を使用することができる。
【０００６】
メディアゲートウェイコントローラ機能エンティティ（ＭＧＣ−ＦＥ）は、セッションイニシエーションプロトコル（ＳＩＰ）を基にしたＩＰマルチメディアサブシステム（ＩＭＳ）と公衆交換電話網（ＰＳＴＮ）の間の通信サービスの場合に呼が最初に到達するゲートウェイエンティティである。ＭＧＣ−ＦＥは適切なプロトコルを介して着呼者とセッションを設定する。ＭＧＣ−ＦＥはメディアセッションを送信する前にメディア形態をネゴシエーションする。
【０００７】
ＣＲＴサービスは、発呼者のホームネットワークまたは着呼者のホームネットワークによって提供される呼び出し音サービスである。発呼者によって加入されるＣＲＴサービスは発信側サービスシステムによって起動され、着呼者によって加入されるＣＲＴサービスは着信側サービスシステムによって起動される。マルチメディア形態、例えば、映像、音声、テキスト、または画像ファイル、との互換性を保証し、サポートするために、発呼者と着呼者の間でマルチメディア形態がネゴシエーションされる必要がある。
【発明の概要】
【発明が解決しようとする課題】
【０００８】
ＣＲＴサービスの助けによって発呼者／着呼者情報提示サービスを実現することができる。しかし、発明者は、本発明の実現の間、先行技術は、ＰＳＴＮネットワークとＳＩＰネットワークの間で発呼者／着呼者情報の伝送のための解決手段を提供しないことを見つけた。
【課題を解決するための手段】
【０００９】
本発明の実施形態は、ＣＲＴサービスにおいて発呼者／着呼者情報を提示する方法およびサーバを提供し、ＰＳＴＮネットワークとＳＩＰネットワークの間で発呼者／着呼者情報の伝送および正しい提示のための解決手段を提供する。
【００１０】
本発明の目的は、次の技術的解決手段によって実現される。
【００１１】
ＣＲＴサービスにおいて発呼者情報を提示する方法は、
発呼者の指示子を伝達する発呼要求を前記発呼者から受信するステップと、
前記発呼者の指示子に従って、特定の発呼者情報を着呼者に提示するか否かを判断するステップと、
を含む。
【００１２】
ＣＲＴサービスにおいて着呼者情報を提示する方法は、
着呼者の指示子を伝達する発呼要求応答メッセージを前記着呼者から受信するステップと、
前記着呼者の指示子に従って、特定の着呼者情報を発呼者に提示するか否かを判断するステップと、
を含む。
【００１３】
ＣＲＴサービスにおいて発呼者情報を提示するサーバは、
発呼者の指示子を伝達する発呼要求を前記発呼者から受信するように構成された受信モジュールと、
前記発呼者の指示子に従って、前記発呼者が特定の発呼者情報を着呼者に提示するか否かを判断するように構成された第１判断モジュールと、
前記第１判断モジュールが、前記発呼者が特定の発呼者情報を着呼者に提示すると判断したとき、前記発呼者が発呼者情報を提示するＣＲＴサービスに加入しているか否かを判断するように構成された第２判断モジュールと、
前記第２判断モジュールが、前記発呼者が前記発呼者情報を提示するＣＲＴサービスに加入していると判断したとき、前記発呼者が特定の発呼者情報を設定しているか否かを判断するように構成された第３判断モジュールと、
前記第３判断モジュールが、前記発呼者が特定の発呼者情報を設定していると判断したとき、前記特定の発呼者情報を伝達するＣＲＴ音を前記着呼者に送信するように構成された送信モジュールと、
を含む。
【００１４】
ＣＲＴサービスにおいて着呼者情報を提示するサーバは、
着呼者の指示子を伝達する発呼要求応答メッセージを前記着呼者から受信するように構成された受信モジュールと、
前記着呼者の指示子に従って、前記着呼者が特定の着呼者情報を発呼者に提示するか否かを判断するように構成された第１判断モジュールと、
前記第１判断モジュールが、前記着呼者が特定の着呼者情報を発呼者に提示すると判断したとき、前記着呼者が着呼者情報を提示するＣＲＴサービスに加入しているか否かを判断するように構成された第２判断モジュールと、
前記第２判断モジュールが、前記着呼者が前記着呼者情報を提示するＣＲＴサービスに加入していると判断したとき、前記着呼者が特定の着呼者情報を設定しているか否かを判断するように構成された第３判断モジュールと、
前記第３判断モジュールが、前記着呼者が特定の着呼者情報を設定していると判断したとき、前記特定の着呼者情報を伝達するＣＲＴ音を前記発呼者に送信するように構成された送信モジュールと、
を含む。
【００１５】
本発明の実施形態は次の利点を与える。本発明の実施形態の技術的解決手段は、ＰＳＴＮネットワークとＳＩＰネットワークの間で伝送される発呼者／着呼者情報を伝達するＣＲＴ音を可能とする。
【図面の簡単な説明】
【００１６】
【図１】本発明の第１実施形態による、ＣＲＴサービスにおいて発呼者情報を提示する方法のフローチャートである。
【図２】本発明の第２実施形態による、ＣＲＴサービスにおいて発呼者情報を提示する方法のもう１つのフローチャートである。
【図３】本発明の第３実施形態による、ＣＲＴサービスにおいて発呼者情報を提示するサーバの図である。
【図４】本発明の第４実施形態による、ＣＲＴサービスにおいて発呼者情報を提示するサーバのもう１つの図である。
【図５】本発明の第５実施形態による、発呼者が発呼要求を送信したときのサーバ処理手順のフローチャートである。
【図６】本発明の第６実施形態による、発呼者が発呼要求を送信したときのサーバ処理手順のもう１つのフローチャートである。
【図７】本発明の第７実施形態による、ＣＲＴサービスにおいて着呼者情報を提示する方法のフローチャートである。
【図８】本発明の第８実施形態による、ＣＲＴサービスにおいて着呼者情報を提示する方法のもう１つのフローチャートである。
【図９】本発明の第９実施形態による、ＣＲＴサービスにおいて着呼者情報を提示するサーバの図である。
【図１０】本発明の第１０実施形態による、ＣＲＴサービスにおいて着呼者情報を提示するサーバのもう１つの図である。
【発明を実施するための形態】
【００１７】
本発明の目的、技術的解決手段、および利点をより良く説明するため、添付図面を参照して本発明の１０の実施形態を詳細に説明する。
【００１８】
本発明の第１実施形態は、ＣＲＴサービスにおいて発呼者情報を提示する方法を提供し、ここで、発呼者はＰＳＴＮネットワーク内に存在し、着呼者はＳＩＰネットワーク内に存在する。本方法のメッセージフローが図１に表わされ、次のステップを含む。
【００１９】
ステップ１０１：発呼者がＰＳＴＮネットワークから着呼者に発呼要求を送信する前に、発呼者はサーバに初期アドレスメッセージ（Initial Address Message（ＩＡＭ））を送信し、ここで、ＩＡＭは発呼者のユーザ情報を含むＵＵＩを伝達する。特定の発呼者情報を着呼者に提示するか否かを指示する指示子がＵＵＩ内に含まれる。この指示子は、特定の発呼者情報を提示すること、または、特定の発呼者情報を提示しないことを定義することが可能であり、または、次の項目、発呼者の識別情報、着呼者の識別情報、発呼者または着呼者の加入情報、発呼者または着呼者の嗜好（preference）、のうち１つまたは複数を提示することを定義することが可能である。
【００２０】
ＵＵＩ内の指示子はＩＡＭ内で伝達することが可能であり、発呼情報（Call-Info）、呼設定受付（Call Proceeding）、呼び出し（Alerting）、応答（Connect）、アドレス完了メッセージ（Address Complete Message（ＡＣＭ））、切断（Disconnect）、開放（Release）のような他のメッセージ内で伝達することも可能である。
【００２１】
ステップ１０２：サーバは発呼者の指示子を伝達するＩＡＭを発呼者から受信し、発呼者の指示子に従って、特定の発呼者情報を着呼者に提示するか否かを判断し、そして、発呼者または着呼者が発呼者情報を提示するＣＲＴサービスに加入しているか否かを判断する。これは次の場合を含む。
【００２２】
場合１：ＵＵＩ内の発呼者の指示子が特定の発呼者情報を着呼者に提示することを指示するならば、サーバは発呼者が発呼者情報を提示するＣＲＴサービスに加入しているか否かを判断する。発呼者がそのサービスに加入しているならば、サーバは着呼者の受信能力情報、および、発呼者が着呼者に提示される特定の発呼者情報を設定しているか否かを判断することに進む。発呼者が特定の発呼者情報を設定しているならば、サーバは該当する形態の特定の発呼者情報を伝達するＣＲＴ音を着呼者に送信する。発呼者が特定の発呼者情報を設定していないならば、サーバは該当する形態の一般的な発呼者情報を伝達するＣＲＴ音を着呼者に送信する。
【００２３】
場合２：ＵＵＩ内の発呼者の指示子が特定の発呼者情報を着呼者に提示することを指示するならば、サーバは発呼者が発呼者情報を提示するＣＲＴサービスに加入しているか否かを判断する。発呼者がそのサービスに加入していないが、着呼者がそのサービスに加入しているならば、サーバは着呼者の受信能力情報を判断し、一般的な発呼者情報を伝達するＣＲＴ音を着呼者に送信する。
【００２４】
場合３：ＵＵＩ内の発呼者の指示子が特定の発呼者情報を着呼者に提示しないことを指示するならば、サーバは着呼者が発呼者情報を提示するＣＲＴサービスに加入しているか否かを判断する。着呼者がそのサービスに加入していないならば、サーバは発呼者情報を伝達しないＣＲＴ音を着呼者に送信する。着呼者がそのサービスに加入しているならば、サーバは着呼者の受信能力情報を判断し、該当する形態の一般的な発呼者情報を伝達するＣＲＴ音を着呼者に送信する。
【００２５】
ステップ１０３：サーバが、上述した場合に従って、関連する発呼者情報を着呼者に提示することが必要であると判断したならば、サーバはＩＮＶＩＴＥメッセージを着呼者に送信し、ここで、ＩＮＶＩＴＥメッセージは関連する発呼者情報のＣＲＴテキストを伝達する。
【００２６】
ステップ１０４：サーバが発呼者情報は着呼者に提示されないと判断したならば、サーバは通常のＩＮＶＩＴＥメッセージを着呼者に送信する。
【００２７】
ステップ１０５：発呼者は発呼者情報を伝達しないＣＲＴ情報を着呼者に送信する。
【００２８】
本発明の第１実施形態で提供される解決手段の利点は、発呼者がＰＳＴＮネットワーク内に存在し、着呼者がＳＩＰネットワーク内に存在するとき、着呼者に提示される発呼者情報を伝達するＣＲＴ音はサーバを介して着呼者に送信され、サーバは着呼者の受信能力を判断し、該当する形態の発呼者情報を伝達するＣＲＴ音を送信することができ、従って、ネットワーク資源の消費を減少させる、という点にある。
【００２９】
本発明の第２実施形態は、ＣＲＴサービスにおいて発呼者情報を提示する方法を提供し、ここで、発呼者はＳＩＰネットワーク内に存在し、着呼者はＰＳＴＮネットワーク内に存在する。本方法のメッセージフローが図２に表わされ、次のステップを含む。
【００３０】
ステップ２０１：発呼者がＳＩＰネットワークからサーバに該当するメッセージを送信し、ここで、該当するメッセージはＩＮＶＩＴＥメッセージである。ＩＮＶＩＴＥメッセージは、Call-Infoを介して、特定の発呼者情報を着呼者に提示するか否かを指示する指示子を伝達する。その指示子は、特定の発呼者情報を提示すること、または、特定の発呼者情報を提示しないことを定義することが可能であり、または、次の項目、発呼者の識別情報、着呼者の識別情報、発呼者または着呼者の加入情報、発呼者または着呼者の嗜好、のうち１つまたは複数を提示することを定義することが可能である。Call-Info内の指示子はＩＮＶＩＴＥメッセージ内で伝達することが可能であり、発呼情報（Call-Info）、呼設定受付（Call Proceeding）、呼び出し（Alerting）、応答（Connect）、アドレス完了メッセージ（ＡＣＭ）、切断（Disconnect）、開放（Release）のような他のメッセージ内で伝達することも可能である。
【００３１】
ステップ２０２：サーバは発呼者の指示子を伝達するＩＮＶＩＴＥメッセージを発呼者から受信し、その指示子に従って、特定の発呼者情報を着呼者に提示するか否かを判断し、そして、発呼者または着呼者が発呼者情報を提示するＣＲＴサービスに加入しているか否かを判断する。これは次の場合を含む。
【００３２】
場合１：Call-Info内の発呼者の指示子が特定の発呼者情報を着呼者に提示することを指示するならば、サーバは発呼者が発呼者情報を提示するＣＲＴサービスに加入しているか否かを判断する。発呼者がそのサービスに加入しているならば、サーバは着呼者の受信能力情報、および、発呼者が着呼者に提示される特定の発呼者情報を設定しているか否かを判断することに進む。発呼者が特定の発呼者情報を設定しているならば、サーバは該当する形態の特定の発呼者情報を伝達するＣＲＴ音を着呼者に送信する。発呼者が特定の発呼者情報を設定していないならば、サーバは該当する形態の一般的な発呼者情報を伝達するＣＲＴ音を着呼者に送信する。
【００３３】
場合２：Call-Info内の発呼者の指示子が特定の発呼者情報を着呼者に提示することを指示するならば、サーバは発呼者が発呼者情報を提示するＣＲＴサービスに加入しているか否かを判断する。発呼者がそのサービスに加入していないが、着呼者がそのサービスに加入しているならば、サーバは着呼者の受信能力情報を判断し、該当する形態の一般的な発呼者情報を伝達するＣＲＴ音を着呼者に送信する。
【００３４】
場合３：Call-Info内の発呼者の指示子が特定の発呼者情報を着呼者に提示しないことを指示するならば、サーバは着呼者が発呼者情報を提示するＣＲＴサービスに加入しているか否かを判断する。着呼者がそのサービスに加入していないならば、サーバは発呼者情報を伝達しないＣＲＴ音を着呼者に送信する。着呼者がそのサービスに加入しているならば、サーバは着呼者の受信能力情報を判断し、該当する形態の一般的な発呼者情報を伝達するＣＲＴ音を着呼者に送信する。
【００３５】
ステップ２０３：サーバが、上述した場合に従って、関連する発呼者情報を着呼者に提示することが必要であると判断したならば、サーバはＩＡＭメッセージを着呼者に送信し、ここで、ＩＡＭメッセージは関連する発呼者情報のＣＲＴテキストを伝達する。その代わりに、ＩＡＭメッセージはＵＵＩメッセージとすることが可能である。
【００３６】
ステップ２０４：サーバが発呼者情報は着呼者に提示されないと判断したならば、サーバは通常のＩＡＭメッセージを着呼者に送信する。
【００３７】
ステップ２０５：発呼者は通常のＣＲＴ情報を着呼者に送信する。
【００３８】
本発明の本実施形態で提供される解決手段の利点は、発呼者がＳＩＰネットワーク内に存在し、着呼者がＰＳＴＮネットワーク内に存在するとき、着呼者に提示される発呼者情報を伝達するＣＲＴ音はサーバを介して着呼者に送信され、サーバは着呼者の受信能力情報を判断し、該当する形態の発呼者情報を伝達するＣＲＴ音を送信することができ、従って、ネットワーク資源の消費を減少させる、という点にある。
【００３９】
本発明の第３実施形態は、ＣＲＴサービスにおいて発呼者情報を提示するサーバを提供する。サーバの構成は図３に表わされ、
指示子を伝達する発呼要求を発呼者から受信するように構成された受信モジュール３０１、
受信モジュールが発呼要求を受信したとき、指示子に従って、発呼者が特定の発呼者情報を着呼者に提示するか否かを判断するように構成された第１判断モジュール３０２、
第１判断モジュールが、指示子に従って、発呼者が特定の発呼者情報を着呼者に提示すると判断したとき、発呼者が発呼者情報を提示するＣＲＴサービスに加入しているか否かを判断するように構成された第２判断モジュール３０３、
第２判断モジュールが、発呼者が発呼者情報を提示するＣＲＴサービスに加入していると判断したとき、発呼者が特定の発呼者情報を設定しているか否かを判断するように構成された第３判断モジュール３０４、
第２判断モジュールが、発呼者が発呼者情報を提示するＣＲＴサービスに加入していると判断したとき、着呼者の受信能力情報を判断し、発呼者情報の形態を送信モジュール３０６に提供するように構成された能力判断モジュール３０５、
第３判断モジュールが、発呼者が特定の発呼者情報を設定していると判断したとき、能力判断モジュール３０５によって提供される形態の特定の発呼者情報を伝達するＣＲＴ音を着呼者に送信するように構成された送信モジュール３０６、
ネットワーク端末またはショートメッセージを通して、または、特定の番号をダイヤルすることによって、ユーザがそのサービスを申し込み、個人情報を設定または更新することを可能とするように構成されたサービス処理モジュール３０７、
を含む。
【００４０】
本発明の本実施形態で提供されるサーバの利点は、発呼者が指示子を通して特定の発呼者情報を着呼者に提示することを指示し、発呼者がそのサービスに加入しており、特定の発呼者情報を設定している場合、ＣＲＴサービスにおいて発呼者情報を提示することが可能にされる、という点にある。
【００４１】
本発明の第４実施形態は、ＣＲＴサービスにおいて発呼者情報を提示するサーバを提供する。サーバの構成が図４に表わされ、４つの処理方式を含む。
【００４２】
処理方式ａ：
図４に表わされているように、サーバは、
指示子を伝達する発呼要求を発呼者から受信するように構成された受信モジュール４０１ａ、
受信モジュールが発呼要求を受信したとき、指示子に従って、発呼者が特定の発呼者情報を着呼者に提示するか否かを判断するように構成された第１判断モジュール４０２ａ、
第１判断モジュールが、発呼者が特定の発呼者情報を着呼者に提示すると判断したとき、発呼者が発呼者情報を提示するＣＲＴサービスに加入しているか否かを判断するように構成された第２判断モジュール４０３ａ、
第２判断モジュールが、発呼者が発呼者情報を提示するＣＲＴサービスに加入していないと判断したとき、着呼者が発呼者情報を提示するＣＲＴサービスに加入しているか否かを判断するように構成された第３判断モジュール４０４ａ、
第３判断モジュール４０４ａが、着呼者が発呼者情報を提示するＣＲＴサービスに加入していると判断したとき、着呼者の受信能力情報を判断し、発呼者情報の形態を送信モジュール４０６ａに提供するように構成された能力判断モジュール４０５ａ、
第３判断モジュールが、着呼者が発呼者情報を提示するＣＲＴサービスに加入していると判断したとき、能力判断モジュール４０５ａによって提供される形態の一般的な発呼者情報を伝達するＣＲＴ音を着呼者に送信するように構成された送信モジュール４０６ａ、
ネットワーク端末またはショートメッセージを通して、または、特定の番号をダイヤルすることによって、ユーザがそのサービスを申し込み、個人情報を設定または更新することを可能とするように構成されたサービス処理モジュール４０７ａ、
を含む。
【００４３】
処理方式ｂ：
図４に表わされているように、サーバは、
指示子を伝達する発呼要求を発呼者から受信するように構成された受信モジュール４０１ｂ、
受信モジュールが発呼要求を受信したとき、指示子に従って、発呼者が特定の発呼者情報を着呼者に提示するか否かを判断するように構成された第１判断モジュール４０２ｂ、
第１判断モジュールが、発呼者が特定の発呼者情報を着呼者に提示すると判断したとき、発呼者が発呼者情報を提示するＣＲＴサービスに加入しているか否かを判断するように構成された第２判断モジュール４０３ｂ、
第２判断モジュールが、発呼者が発呼者情報を提示するＣＲＴサービスに加入していないと判断したとき、着呼者が発呼者情報を提示するＣＲＴサービスに加入しているか否かを判断するように構成された第３判断モジュール４０４ｂ、
第３判断モジュールが、着呼者が発呼者情報を提示するＣＲＴサービスに加入していないと判断したとき、直接に送信モジュール４０６ｂに進むように構成された能力判断モジュール４０５ｂ、
第３判断モジュールが、着呼者が発呼者情報を提示するＣＲＴサービスに加入していないと判断したとき、発呼者情報を伝達しないＣＲＴ音を着呼者に送信するように構成された送信モジュール４０６ｂ、
ネットワーク端末またはショートメッセージを通して、または、特定の番号をダイヤルすることによって、ユーザがそのサービスを申し込み、個人情報を設定または更新することを可能とするように構成されたサービス処理モジュール４０７ｂ、
を含む。
【００４４】
処理方式ｃ：
図４に表わされているように、サーバは、
指示子を伝達する発呼要求を発呼者から受信するように構成された受信モジュール４０１ｃ、
受信モジュールが発呼要求を受信したとき、指示子に従って、発呼者が特定の発呼者情報を着呼者に提示するか否かを判断するように構成された第１判断モジュール４０２ｃ、
第１判断モジュールが、発呼者が特定の発呼者情報を着呼者に提示しないと判断したとき、着呼者が発呼者情報を提示するＣＲＴサービスに加入しているか否かを判断するように構成された第２判断モジュール４０３ｃ、
第２判断モジュールが、着呼者が発呼者情報を提示するＣＲＴサービスに加入していると判断したとき、着呼者の能力を判断するモジュール４０５ｃに進むように構成された第３判断モジュール４０４ｃ、
第２判断モジュールが、着呼者が発呼者情報を提示するＣＲＴサービスに加入していると判断したとき、着呼者の受信能力情報を判断し、発呼者情報の形態を送信モジュール４０６ｃに提供するように構成された能力判断モジュール４０５ｃ、
能力判断モジュール４０５ｃによって提供される形態の一般的な発呼者情報を伝達するＣＲＴ音を着呼者に送信するように構成された送信モジュール４０６ｃ、
ネットワーク端末またはショートメッセージを通して、または、特定の番号をダイヤルすることによって、ユーザがそのサービスを申し込み、個人情報を設定または更新することを可能とするように構成されたサービス処理モジュール４０７ｃ、
を含む。
【００４５】
処理方式ｄ：
図４に表わされているように、サーバは、
指示子を伝達する発呼要求を発呼者から受信するように構成された受信モジュール４０１ｄ、
受信モジュールが発呼要求を受信したとき、指示子に従って、発呼者が特定の発呼者情報を着呼者に提示するか否かを判断するように構成された第１判断モジュール４０２ｄ、
第１判断モジュールが、発呼者が特定の発呼者情報を着呼者に提示しないと判断したとき、着呼者が発呼者情報を提示するＣＲＴサービスに加入しているか否かを判断するように構成された第２判断モジュール４０３ｄ、
第２判断モジュールが、着呼者が発呼者情報を提示するＣＲＴサービスに加入していないと判断したとき、判断することなく直接に送信モジュール４０６ｄに進むように構成された第３判断モジュール４０４ｄ、
発呼者情報を伝達しないＣＲＴ音を着呼者に送信するように構成された送信モジュール４０６ｄ、
ネットワーク端末またはショートメッセージを通して、または、特定の番号をダイヤルすることによって、ユーザがそのサービスを申し込み、個人情報を設定または更新することを可能とするように構成されたサービス処理モジュール４０７ｄ、
を含む。
【００４６】
本発明の本実施形態において提供されるサーバの利点は、サーバは４つの場合にＣＲＴサービスにおいて発呼者情報を提示することを可能とする、という点にある。
【００４７】
本発明の第５実施形態は、発呼者が指示子を伝達する発呼要求を送信したときのサーバ処理手順を提供する。図５に表わされているように、その手順は次のステップを含む。
【００４８】
ステップ５０１：発呼者端末は待機中である。
【００４９】
ステップ５０２：発呼者はＰＳＴＮ（またはＳＩＰ）ネットワークから発呼要求を送信し、ここで、発呼要求は特定の発呼者情報を着呼者に提示するか否かを指示する指示子を伝達する。
【００５０】
ステップ５０３：サーバは発呼者から発呼要求を受信し、指示子を取得する。その指示子が特定の発呼者情報を提示することを指示するならば、手順はステップ５０４に進む。その指示子が特定の発呼者情報を提示しないことを指示するならば、手順はステップ５０８に進む。
【００５１】
ステップ５０４：サーバは発呼者が発呼者情報提示サービスに加入しているか否かを判断する。発呼者がそのサービスに加入しているならば、手順はステップ５０５に進む。発呼者がそのサービスに加入していないならば、手順はステップ５０８に進む。
【００５２】
ステップ５０５：発呼者が発呼者情報提示サービスに加入していると判断したとき、サーバは、該当する形態の発呼者情報を伝達するＣＲＴ音を送信することを決定するために、着呼者の受信能力を判断する。
【００５３】
ステップ５０６：サーバが着呼者の受信能力を判断したとき、サーバはさらに発呼者が着呼者のために特定の発呼者情報を設定しているか否かを判断する。発呼者が特定の発呼者情報を設定しているならば、手順はステップ５１０に進む。
【００５４】
ステップ５０７：サーバは該当する形態の特定の発呼者情報を伝達するＣＲＴ音を着呼者に送信する。
【００５５】
５０８：発呼者が発呼者情報提示サービスに加入していないと判断したとき、サーバはさらに着呼者が発呼者情報提示サービスに加入しているか否かを判断する。着呼者がそのサービスに加入しているならば、手順はステップ５０９に進む。着呼者がそのサービスに加入していないならば、手順はステップ５１１に進む。
【００５６】
ステップ５０９：発呼者がそのサービスに加入していないが、着呼者がそのサービスに加入していると判断したとき、サーバはさらに着呼者の受信能力を判断し、そして、手順はステップ５１０に進む。
【００５７】
ステップ５１０：サーバは該当する形態の一般的な発呼者情報を伝達するＣＲＴ音を着呼者に送信する。
【００５８】
ステップ５１１：発呼者、着呼者のいずれも発呼者情報提示サービスに加入していないと判断したとき、サーバは発呼者情報なしでＣＲＴ呼手順を開始する。
【００５９】
本発明の本実施形態において提供されるサーバの利点は、該当する形態の発呼者情報を伝達するＣＲＴ音を着呼者に送信することを決定するために、発呼者と着呼者の少なくとも一方が発呼者情報提示サービスに加入していると判断したとき、サーバはさらに着呼者の受信能力を判断する、という点にある。そのような判断なしで任意の形態の発呼者情報を伝達するＣＲＴ音を送信することと比較して、本解決手段は、最大限ユーザの要求条件に適合するだけでなく、伝送および交換資源の不要な浪費を減少させる。
【００６０】
本発明の第６実施形態は、発呼者が指示子を伝達する発呼要求を送信したときのサーバ処理手順を提供する。図６に表わされているように、その手順は次のステップを含む。
【００６１】
ステップ６０１：発呼者は発呼要求をサーバに送信する。発呼要求はＩＭＳ、ＳＩＰ、またはＰＳＴＮネットワークによって定義される要求メッセージ、または、回線交換メッセージ、または、パケット交換メッセージ、例えば、ＩＮＶＩＴＥメッセージとすることが可能であり、発呼要求メッセージは発呼者の指示子を伝達する。
【００６２】
ステップ６０２：サーバは、発呼要求を受信し、発呼要求を着呼者に転送する。発呼要求は同種のネットワークまたは異種のネットワークのメッセージとすることが可能である。
【００６３】
ステップ６０３：着呼者は応答メッセージをサーバに送信する。応答メッセージは着呼者の指示子を伝達する。
【００６４】
ステップ６０４：サーバは、発呼者の指示子に従って、問合せおよび判断を実行する。問合せおよび判断の処理は第１および第２実施形態における対応する問合せおよび判断の処理と同じである。さらに、サーバは、発呼者情報を着呼者に提示する前に、着呼者の指示子に従って、関係する着呼者情報を発呼者に提示するために問合せおよび判断の処理を繰り返す。
【００６５】
ステップ６０５：サーバは関係する発呼者情報を挿入し、それを提示のために着呼者に送信する。
【００６６】
本発明の本実施形態で提供される解決手段の利点は、サーバは発呼者または着呼者のために関係する情報を挿入し、それによって、ＰＳＴＮネットワークとＳＩＰネットワークの間の発呼者／着呼者情報の良好なやり取りの体験を可能とする、という点にある。
【００６７】
本発明の第７実施形態は、ＣＲＴサービスにおいて着呼者情報を提示する方法を提供し、ここで、発呼者はＰＳＴＮネットワーク内に存在し、着呼者はＳＩＰネットワーク内に存在する。図７に表わされているように、本方法は次のステップを含む。
【００６８】
ステップ７０１：発呼者はＰＳＴＮネットワークから着呼者に発呼要求を送信する。
【００６９】
ステップ７０２：サーバは発呼者の発呼要求を着呼者に転送する。
【００７０】
ステップ７０３：着呼者は、サーバによって転送された発呼者の発呼要求を受信し、着呼者の指示子を伝達する応答メッセージを返信する。応答メッセージはＩＮＶＩＴＥメッセージであり、ここで、Call-Infoは特定の着呼者情報を発呼者に提示するか否かを指示する指示子を伝達する。その指示子は、特定の着呼者情報を提示すること、または、特定の着呼者情報を提示しないことを定義することが可能であり、または、次の項目、発呼者の識別情報、着呼者の識別情報、発呼者または着呼者の加入情報、発呼者または着呼者の嗜好、のうち１つまたは複数を提示することを定義することが可能である。Call-Info内の指示子はＩＮＶＩＴＥメッセージ内で伝達することが可能であり、発呼情報（Call-Info）、呼設定受付（Call Proceeding）、呼び出し（Alerting）、応答（Connect）、アドレス完了メッセージ（ＡＣＭ）、切断（Disconnect）、開放（Release）のような他のメッセージ内で伝達することも可能である。
【００７１】
ステップ７０４：サーバは着呼者の指示子を伝達するＩＮＶＩＴＥメッセージを着呼者から受信し、着呼者の指示子に従って、特定の着呼者情報を発呼者に提示するか否かを判断し、そして、発呼者または着呼者が着呼者情報を提示するＣＲＴサービスに加入しているか否かを判断する。これは次の場合を含む。
【００７２】
場合１：Call-Info内の着呼者の指示子が特定の着呼者情報を発呼者に提示することを指示するならば、サーバは着呼者が着呼者情報を提示するＣＲＴサービスに加入しているか否かを判断する。着呼者がそのサービスに加入しているならば、サーバは発呼者の受信能力情報、および、着呼者が発呼者に提示される特定の着呼者情報を設定しているか否かを判断することに進む。着呼者が特定の着呼者情報を設定しているならば、サーバは該当する形態の特定の着呼者情報を伝達するＣＲＴ音を発呼者に送信する。着呼者が特定の着呼者情報を設定していないならば、サーバは該当する形態の一般的な着呼者情報を伝達するＣＲＴ音を発呼者に送信する。
【００７３】
場合２：Call-Info内の着呼者の指示子が特定の着呼者情報を発呼者に提示することを指示するならば、サーバは着呼者が着呼者情報を提示するＣＲＴサービスに加入しているか否かを判断する。着呼者がそのサービスに加入していないが、発呼者がそのサービスに加入しているならば、サーバは発呼者の受信能力を判断し、一般的な着呼者情報を伝達するＣＲＴ音を発呼者に送信する。
【００７４】
場合３：Call-Info内の着呼者の指示子が特定の着呼者情報を発呼者に提示しないことを指示するならば、サーバは発呼者が着呼者情報を提示するＣＲＴサービスに加入しているか否かを判断する。発呼者がそのサービスに加入していないならば、サーバは着呼者情報を伝達しないＣＲＴ音を発呼者に送信する。発呼者がそのサービスに加入しているならば、サーバは発呼者の受信能力情報を判断し、該当する形態の一般的な着呼者情報を伝達するＣＲＴ音を発呼者に送信する。
【００７５】
ステップ７０５：サーバが、上述した場合に従って、関連する着呼者情報を発呼者に提示することが必要であると判断したならば、サーバは関連する着呼者情報のＣＲＴテキストを伝達するＩＡＭを送信し、ここで、ＣＲＴテキストは具体的にはＵＵＩメッセージ内で伝達される。
【００７６】
ステップ７０６：サーバが着呼者情報は発呼者に提示されないと判断したならば、サーバは通常のＩＡＭを送信する。
【００７７】
ステップ７０７：着呼者は着呼者情報を伝達しないＣＲＴ情報を発呼者に送信する。
【００７８】
本発明の本実施形態で提供される解決手段の利点は、発呼者がＰＳＴＮネットワーク内に存在し、着呼者がＳＩＰネットワーク内に存在するとき、発呼者に提示される着呼者情報を伝達するＣＲＴ音はサーバを介して発呼者に送信され、サーバは発呼者の受信能力を判断し、該当する形態の着呼者情報を伝達するＣＲＴ音を送信することができ、従って、ネットワーク資源の消費を減少させる、という点にある。
【００７９】
本発明の第８実施形態は、ＣＲＴサービスにおいて着呼者情報を提示する方法を提供し、ここで、発呼者はＳＩＰネットワーク内に存在し、着呼者はＰＳＴＮネットワーク内に存在する。図８に表わされているように、本方法は次のステップを含む。
【００８０】
ステップ８０１：発呼者はＳＩＰネットワークから着呼者に発呼要求を送信する。
【００８１】
ステップ８０２：サーバは発呼者の発呼要求を着呼者に転送する。
【００８２】
ステップ８０３：着呼者は、サーバによって転送された発呼者の発呼要求を受信し、着呼者の指示子を伝達する応答メッセージを返信する。応答メッセージはＩＡＭであり、ここで、ＵＵＩメッセージは特定の着呼者情報を発呼者に提示するか否かを指示する指示子を伝達する。その指示子は、特定の着呼者情報を提示すること、または、特定の着呼者情報を提示しないことを定義することが可能であり、または、次の項目、発呼者の識別情報、着呼者の識別情報、発呼者または着呼者の加入情報、発呼者または着呼者の嗜好、のうち１つまたは複数を提示することを定義することが可能である。ＵＵＩ内の指示子はＩＡＭ内で伝達することが可能であり、発呼情報（Call-Info）、呼設定受付（Call Proceeding）、呼び出し（Alerting）、応答（Connect）、アドレス完了メッセージ（ＡＣＭ）、切断（Disconnect）、開放（Release）のような他のメッセージ内で伝達することも可能である。
【００８３】
ステップ８０４：サーバは着呼者の指示子を伝達するＩＡＭを着呼者から受信し、着呼者の指示子に従って、特定の着呼者情報を発呼者に提示するか否かを判断し、そして、発呼者または着呼者が着呼者情報を提示するＣＲＴサービスに加入しているか否かを判断する。これは次の場合を含む。
【００８４】
場合１：ＵＵＩ内の着呼者の指示子が特定の着呼者情報を発呼者に提示することを指示するならば、サーバは着呼者が着呼者情報を提示するＣＲＴサービスに加入しているか否かを判断する。着呼者がそのサービスに加入しているならば、サーバは発呼者の受信能力情報、および、着呼者が発呼者に提示される特定の着呼者情報を設定しているか否かを判断することに進む。着呼者が特定の着呼者情報を設定しているならば、サーバは該当する形態の特定の着呼者情報を伝達するＣＲＴ音を発呼者に送信する。着呼者が特定の着呼者情報を設定していないならば、サーバは該当する形態の一般的な着呼者情報を伝達するＣＲＴ音を発呼者に送信する。
【００８５】
場合２：ＵＵＩ内の着呼者の指示子が特定の着呼者情報を発呼者に提示することを指示するならば、サーバは着呼者が着呼者情報を提示するＣＲＴサービスに加入しているか否かを判断する。着呼者がそのサービスに加入していないが、発呼者がそのサービスに加入しているならば、サーバは発呼者の受信能力を判断し、一般的な着呼者情報を伝達するＣＲＴ音を発呼者に送信する。
【００８６】
場合３：ＵＵＩ内の着呼者の指示子が特定の着呼者情報を発呼者に提示しないことを指示するならば、サーバは発呼者が着呼者情報を提示するＣＲＴサービスに加入しているか否かを判断する。発呼者がそのサービスに加入していないならば、サーバは着呼者情報を伝達しないＣＲＴ音を発呼者に送信する。発呼者がそのサービスに加入しているならば、サーバは発呼者の受信能力情報を判断し、該当する形態の一般的な着呼者情報を伝達するＣＲＴ音を発呼者に送信する。
【００８７】
ステップ８０５：サーバが、上述した場合に従って、関連する着呼者情報を発呼者に提示することが必要であると判断したならば、サーバは関連する着呼者情報のＣＲＴテキストを伝達するＩＮＶＩＴＥメッセージを送信し、ここで、ＣＲＴテキストは具体的にはCall-Infoメッセージ内で伝達される。
【００８８】
ステップ８０６：サーバが着呼者情報は発呼者に提示されないと判断したならば、サーバは通常のＩＮＶＩＴＥメッセージを発呼者に送信する。
【００８９】
ステップ８０７：着呼者は着呼者情報を伝達しないＣＲＴ情報を発呼者に送信する。
【００９０】
本発明の本実施形態で提供される解決手段の利点は、発呼者がＳＩＰネットワーク内に存在し、着呼者がＰＳＴＮネットワーク内に存在するとき、発呼者に提示される着呼者情報を伝達するＣＲＴ音はサーバを介して発呼者に送信され、サーバは発呼者の受信能力を判断し、該当する形態の着呼者情報を伝達するＣＲＴ音を送信することができ、従って、ネットワーク資源の消費を減少させる、という点にある。
【００９１】
本発明の第９実施形態は、ＣＲＴサービスにおいて着呼者情報を提示するサーバを提供する。サーバの構成は図９に表わされ、
着呼者の指示子を伝達する発呼要求応答メッセージを着呼者から受信するように構成された受信モジュール９０１、
受信モジュールが発呼応答を受信したとき、指示子に従って、着呼者が特定の着呼者情報を発呼者に提示するか否かを判断するように構成された第１判断モジュール９０２、
第１判断モジュールが、指示子に従って、着呼者が特定の着呼者情報を発呼者に提示すると判断したとき、着呼者が着呼者情報を提示するＣＲＴサービスに加入しているか否かを判断するように構成された第２判断モジュール９０３、
第２判断モジュールが、着呼者が着呼者情報を提示するＣＲＴサービスに加入していると判断したとき、着呼者が特定の着呼者情報を設定しているか否かを判断するように構成された第３判断モジュール９０４、
第２判断モジュールが、着呼者が着呼者情報を提示するＣＲＴサービスに加入していると判断したとき、発呼者の受信能力情報を判断し、着呼者情報の形態を送信モジュール９０６に提供するように構成された能力判断モジュール９０５、
第３判断モジュールが、着呼者が特定の着呼者情報を設定していると判断したとき、能力判断モジュールによって提供される形態の特定の着呼者情報を伝達するＣＲＴ音を発呼者に送信するように構成された送信モジュール９０６、
ネットワーク端末またはショートメッセージを通して、または、特定の番号をダイヤルすることによって、ユーザがそのサービスを申し込み、個人情報を設定または更新することを可能とするように構成されたサービス処理モジュール９０７、
を含む。
【００９２】
本発明の本実施形態で提供されるサーバの利点は、着呼者が指示子を通して特定の着呼者情報を発呼者に提示することを指示し、着呼者が着呼者情報提示サービスに加入しており、特定の着呼者情報を設定しているならば、ＣＲＴサービスにおいて着呼者情報を提示することが可能にされる、という点にある。
【００９３】
本発明の第１０実施形態は、ＣＲＴサービスにおいて着呼者情報を提示するサーバを提供する。本実施形態は４つの処理方式を含む。
【００９４】
処理方式ａ：
図１０に表わされているように、サーバは、
着呼者の指示子を伝達する発呼要求応答メッセージを着呼者から受信するように構成された受信モジュール１００１ａ、
受信モジュールが発呼応答を受信したとき、着呼者の指示子に従って、着呼者が特定の着呼者情報を発呼者に提示するか否かを判断するように構成された第１判断モジュール１００２ａ、
第１判断モジュールが、着呼者が特定の着呼者情報を発呼者に提示すると判断したとき、着呼者が着呼者情報を提示するＣＲＴサービスに加入しているか否かを判断するように構成された第２判断モジュール１００３ａ、
第２判断モジュールが、着呼者が着呼者情報を提示するＣＲＴサービスに加入していないと判断したとき、発呼者が着呼者情報を提示するＣＲＴサービスに加入しているか否かを判断するように構成された第３判断モジュール１００４ａ、
第３判断モジュールが、発呼者が着呼者情報を提示するＣＲＴサービスに加入していると判断したとき、発呼者の受信能力情報を判断し、着呼者情報の形態を送信モジュール１００６ａに提供するように構成された能力判断モジュール１００５ａ、
第３判断モジュールが、発呼者が着呼者情報を提示するＣＲＴサービスに加入していると判断したとき、能力判断モジュール１００５ａによって提供される形態の一般的な着呼者情報を伝達するＣＲＴ音を発呼者に送信するように構成された送信モジュール１００６ａ、
ネットワーク端末またはショートメッセージを通して、または、特定の番号をダイヤルすることによって、ユーザが着呼者情報を提示するＣＲＴサービスを申し込み、個人情報を設定または更新することを可能とするように構成されたサービス処理モジュール１００７ａ、
を含む。
【００９５】
処理方式ｂ：
図１０に表わされているように、サーバは、
着呼者の指示子を伝達する発呼要求応答メッセージを着呼者から受信するように構成された受信モジュール１００１ｂ、
受信モジュールが発呼応答を受信したとき、指示子に従って、着呼者が特定の着呼者情報を発呼者に提示するか否かを判断するように構成された第１判断モジュール１００２ｂ、
第１判断モジュールが、着呼者が特定の着呼者情報を発呼者に提示すると判断したとき、着呼者が着呼者情報を提示するＣＲＴサービスに加入しているか否かを判断するように構成された第２判断モジュール１００３ｂ、
第２判断モジュールが、着呼者が着呼者情報を提示するＣＲＴサービスに加入していないと判断したとき、発呼者が着呼者情報を提示するＣＲＴサービスに加入しているか否かを判断するように構成された第３判断モジュール１００４ｂ、
第３判断モジュールが、発呼者が着呼者情報を提示するＣＲＴサービスに加入していないと判断したとき、発呼者の受信能力を判断することなく直接に送信モジュール１００６ｂに進むように構成された能力判断モジュール１００５ｂ、
第３判断モジュールが、発呼者が着呼者情報を提示するＣＲＴサービスに加入していないと判断したとき、着呼者情報を伝達しないＣＲＴ音を発呼者に送信するように構成された送信モジュール１００６ｂ、
ネットワーク端末またはショートメッセージを通して、または、特定の番号をダイヤルすることによって、ユーザが着呼者情報を提示するＣＲＴサービスを申し込み、個人情報を設定または更新することを可能とするように構成されたサービス処理モジュール４０７ｂ、
を含む。
【００９６】
処理方式ｃ：
図１０に表わされているように、サーバは、
着呼者の指示子を伝達する発呼要求応答メッセージを着呼者から受信するように構成された受信モジュール１００１ｃ、
受信モジュールが発呼応答を受信したとき、指示子に従って、着呼者が特定の着呼者情報を発呼者に提示するか否かを判断するように構成された第１判断モジュール１００２ｃ、
第１判断モジュールが、着呼者が特定の着呼者情報を発呼者に提示しないと判断したとき、発呼者が着呼者情報を提示するＣＲＴサービスに加入しているか否かを判断するように構成された第２判断モジュール１００３ｃ、
第２判断モジュールが、発呼者が着呼者情報を提示するＣＲＴサービスに加入していると判断したとき、着呼者の能力を判断するモジュール１００５ｃに進むように構成された第３判断モジュール１００４ｃ、
第２判断モジュールが、発呼者が着呼者情報を提示するＣＲＴサービスに加入していると判断したとき、着呼者の能力情報を判断し、着呼者情報の形態を送信モジュール１００６ｃに提供するように構成された能力判断モジュール１００５ｃ、
能力判断モジュール１００５ｃによって提供される形態の一般的な着呼者情報を伝達するＣＲＴ音を発呼者に送信するように構成された送信モジュール１００６ｃ、
ネットワーク端末またはショートメッセージを通して、または、特定の番号をダイヤルすることによって、ユーザが着呼者情報を提示するＣＲＴサービスを申し込み、個人情報を設定または更新することを可能とするように構成されたサービス処理モジュール１００７ｃ、
を含む。
【００９７】
処理方式ｄ：
図１０に表わされているように、サーバは、
着呼者の指示子を伝達する発呼要求応答メッセージを着呼者から受信するように構成された受信モジュール１００１ｄ、
受信モジュールが発呼応答を受信したとき、指示子に従って、着呼者が特定の着呼者情報を発呼者に提示するか否かを判断するように構成された第１判断モジュール１００２ｄ、
第１判断モジュールが、着呼者が特定の着呼者情報を発呼者に提示しないと判断したとき、発呼者が着呼者情報を提示するＣＲＴサービスに加入しているか否かを判断するように構成された第２判断モジュール１００３ｄ、
第２判断モジュールが、発呼者が着呼者情報を提示するＣＲＴサービスに加入していないと判断したとき、判断することなく直接に送信モジュール１００６ｄに進むように構成された第３判断モジュール１００４ｄ、
着呼者情報を伝達しないＣＲＴ音を発呼者に送信するように構成された送信モジュール１００６ｄ、
ネットワーク端末またはショートメッセージを通して、または、特定の番号をダイヤルすることによって、ユーザが着呼者情報を提示するＣＲＴサービスを申し込み、個人情報を設定または更新することを可能とするように構成されたサービス処理モジュール１００７ｄ、
を含む。
【００９８】
本発明の本実施形態において提供されるサーバの利点は、サーバは４つの場合にＣＲＴサービスにおいて着呼者情報を提示することを可能とする、という点にある。
【００９９】
本発明の上述した実施形態の記載から、この技術分野の当業者は、本発明がハードウェアによって、または、必要な汎用のハードウェアプラットフォームとともにソフトウェアによって実現できることを理解する。そのような理解に基づいて、本発明の技術的解決手段はソフトウェア製品によって反映することができる。ソフトウェア製品はコンピュータ読み取り可能な記憶媒体（コンパクトディスクリードオンリメモリ（ＣＤ−ＲＯＭ）、ユニバーサルシリアルバス（ＵＳＢ）フラッシュディスク、または取り外し可能なハードディスク）内に記憶させることができ、コンピュータ機器（パーソナルコンピュータ、サーバ、またはネットワーク機器）が本発明の実施形態の方法を実行することを可能とする多数の命令を含む。
【０１００】
本発明はいくつかの例示の実施形態を通して詳細に説明されたが、本発明はそのような実施形態に限定されない。この技術分野の当業者は本発明の思想および範囲を逸脱することなく本発明に様々な修正および変形を行うことができることが明らかである。本発明は、請求項およびそれらの均等物によって定義される保護範囲内にあるならば、その修正および変形をカバーすることが意図される。
【符号の説明】
【０１０１】
３０１  受信モジュール
３０２  第１判断モジュール
３０３  第２判断モジュール
３０４  第３判断モジュール
３０５  能力判断モジュール
３０６  送信モジュール
３０７  サービス処理モジュール
４０１ａ、４０１ｂ、４０１ｃ、４０１ｄ  受信モジュール
４０２ａ、４０２ｂ、４０２ｃ、４０２ｄ  第１判断モジュール
４０３ａ、４０３ｂ、４０３ｃ、４０３ｄ  第２判断モジュール
４０４ａ、４０４ｂ、４０４ｃ、４０４ｄ  第３判断モジュール
４０５ａ、４０５ｂ、４０５ｃ、４０５ｄ  能力判断モジュール
４０６ａ、４０６ｂ、４０６ｃ、４０６ｄ  送信モジュール
４０７ａ、４０７ｂ、４０７ｃ、４０７ｄ  サービス処理モジュール
９０１  受信モジュール
９０２  第１判断モジュール
９０３  第２判断モジュール
９０４  第３判断モジュール
９０５  能力判断モジュール
９０６  送信モジュール
９０７  サービス処理モジュール
１００１ａ、１００１ｂ、１００１ｃ、１００１ｄ  受信モジュール
１００２ａ、１００２ｂ、１００２ｃ、１００２ｄ  第１判断モジュール
１００３ａ、１００３ｂ、１００３ｃ、１００３ｄ  第２判断モジュール
１００４ａ、１００４ｂ、１００４ｃ、１００４ｄ  第３判断モジュール
１００５ａ、１００５ｂ、１００５ｃ、１００５ｄ  能力判断モジュール
１００６ａ、１００６ｂ、１００６ｃ、１００６ｄ  送信モジュール
１００７ａ、１００７ｂ、１００７ｃ、１００７ｄ  サービス処理モジュール
【図１】
0005316974.tif 000002
【図２】
0005316974.tif 000003
【図３】
0005316974.tif 000004
【図４】
0005316974.tif 000005
【図５】
0005316974.tif 000006
【図６】
0005316974.tif 000007
【図７】
0005316974.tif 000008
【図８】
0005316974.tif 000009
【図９】
0005316974.tif 000010
【図１０】
0005316974.tif 000011